(57)【要約】【課題】給水弁の取外し、取付けが容易にできるようにする。【解決手段】給水弁１７を取付ける取付板１８に、給水弁１７にホース１５，１６を接続するためのホース継手２４，２５を一体に設けた。これにより、給水弁１７に万一故障があったときの給水弁１７の取外しは、ホース継手２４，２５にホース１５，１６を接続したままで、取付板１８から給水弁１７を単独に取外すことででき、ホース継手２４，２５からホース１５，１６を外す作業が必要ない。又、修理後の給水弁１７又は新たな給水弁１７を取付ける際にも、ホース継手２４，２５にホース１５，１６を接続したままで、取付板１８に給水弁１７を単独に取付けることででき、取付板１８への給水弁１７の取付け後にホース継手２４，２５にホース１５，１６を接続する作業が必要ない。かくして、給水弁１７の取外し、取付けが容易にできる。【選択図】図１
2007244659.tif 000002
【特許請求の範囲】
【請求項１】
水槽を具えると共に、その水槽に給水する給水弁、及びこの給水弁を取付ける取付板を具えるものにおいて、
前記取付板に、前記給水弁にホースを接続するためのホース継手を一体に設けたことを特徴とする洗濯機。
【請求項２】
取付板が、水槽を収容する筐体を補強する補強板に一体に設けられていることを特徴とする請求項１記載の洗濯機。
【発明の詳細な説明】
【技術分野】
【０００１】
本発明は、給水弁を取付ける取付板を改良した洗濯機に関する。
【背景技術】
【０００２】
従来より、洗濯機においては、水槽を具えると共に、その水槽に給水する給水弁、及びこの給水弁を取付ける取付板を具えたものが供されている。
このものの場合、給水弁が、ホースを接続するためのホース継手を有し、一方、取付板がホース継手挿通孔を有していて、そのホース継手挿通孔にホース継手を挿通し、この状態で、取付板に給水弁がねじにより取付けられるようになっており、そして、取付板のホース継手挿通孔から突出したホース継手にホースが接続されるようになっている（例えば特許文献１参照）。
【特許文献１】実公昭６３-１９８７号公報
【発明の開示】
【発明が解決しようとする課題】
【０００３】
上記従来のものの場合、給水弁に万一故障があったとき、ホース継手からホースを外し、その上で、取付板に対する給水弁のねじによる取付状態を解いて、ホース継手を取付板のホース継手挿通孔から抜き、給水弁を取付板から離すという作業が必要であった。又、修理後の給水弁又は新たな給水弁を取付ける際には、最初の取付時同様に、取付板のホース継手挿通孔にホース継手を挿通し、この状態で、取付板に給水弁をねじにより取付け、そして、取付板のホース継手挿通孔から突出したホース継手にホースを接続するという作業が必要であり、いずれも面倒であった。
【０００４】
本発明は上述の事情に鑑みてなされたものであり、従ってその目的は、給水弁の取外し、取付けが容易にできる洗濯機を提供するにある。
【課題を解決するための手段】
【０００５】
上記目的を達成するために、本発明の洗濯機においては、水槽を具えると共に、その水槽に給水する給水弁、及びこの給水弁を取付ける取付板を具えるものにおいて、前記取付板に、前記給水弁にホースを接続するためのホース継手を一体に設けたことを特徴とする（請求項１の発明）。
【発明の効果】
【０００６】
上記手段によれば、給水弁の取外しは、ホース継手にホースを接続したままででき、ホース継手からホースを外す作業が必要ない。又、給水弁の取付けも、ホース継手にホースを接続したままででき、取付板への給水弁の取付け後にホース継手にホースを接続する作業が必要ない。
【発明を実施するための最良の形態】
【０００７】
以下、本発明の一実施例（一実施形態）につき、図面を参照して説明する。
まず、図５には、洗濯機の全体的構成を示しており、台板１上に載置結合した筐体である外箱２の内部に、水槽３を収容している。水槽３は円筒状を成しており、一対（一方側のみ図示）のサスペンション４にて、軸方向が前後となる横軸状で且つ前上がりの傾斜状に弾性支持している。
【０００８】
水槽３の内部には回転槽５を収容しており、この回転槽５も円筒状を成していて、それを、水槽３の背部に取付けた図示しないモータにより支持することによって、水槽３と同軸状（軸方向が前後となる横軸状で且つ前上がりの傾斜状）に設けている。なお、モータは回転槽５を回転させる駆動装置として機能するようになっている。又、回転槽５は胴部のほゞ全域に通水及び通風用の孔６を多数有している。
【０００９】
水槽３の下方（台板１上）には、上記サスペンション４を配置すると共に、ヒートポンプユニット７を配置している。このヒートポンプユニット７は、ユニットケース８の内部に図示しない圧縮機や凝縮器、絞り弁、蒸発器など冷凍サイクルを構成する部品と送風機とを配設して成るもので、ユニットケース８の吸気側である前部を吸気ダクト９によって水槽３の前部に接続し、ユニットケース８の吐気側である後部を吐気ダクト１０によって水槽３の後部に接続している。
【００１０】
この構成で、回転槽５の回転を伴い、水槽３内（回転槽５内）の空気を、吸気ダクト９からユニットケース８内を通して吐気ダクト１０から水槽３内（回転槽５内）に戻す循環を行わしめ、その途中、ユニットケース８内で蒸発器により空気の冷却除湿をし、次いで凝縮器で空気の加熱をするようになっており、従って、水槽３内（回転槽５内）には除湿加熱風が逐次供給され、それによって、図示しない洗濯物の乾燥を回転槽５内で行うようになっている。
【００１１】
一方、水槽３の上方には、洗濯機の制御に必要な電源系の制御部１１を後部に配置し、表示系の制御部１２を前部に配置している。又、それらと並べて水槽３の上方には、洗剤投入ケース１３と給水ケース１４、給水ホース１５，１６、及び給水弁１７を配置している。このうち、洗剤投入ケース１３は、前面部が前記外箱２の前面部と面一に位置して、使用者による引き出し及び押し戻しを可能に設けており、それによって洗剤のセットが任意にでき、併せて柔軟仕上剤のセットも洗剤投入ケース１３の洗剤収容区画とは異なる区画で任意にできるようになっている。
【００１２】
さて、給水弁１７は、詳細には図６及び図７に示すように、取付板１８に取付けている。取付板１８は、この場合、プラスチックの型成形により補強板１９と一体に形成したもので、補強板１９は取付板１８の両側方に双方でほゞ直角の角度を隔てて延び、両端部にそれぞれ取付部２０，２１を有している。
【００１３】
そして、その取付部２０，２１については、前記外箱２の左側面部２ａと後面部２ｂとのコーナー部において、一方の取付部２０を外箱２の左側面部２ａの上縁部に複数のねじ２２により取付け、他方の取付部２１を外箱２の後面部２ｂの上縁部に同じく複数のねじ２３により取付けており、かくして、取付板１８と一体の補強板１９を外箱２の左側面部２ａの上縁部と後面部２ｂの上縁部との間に架設し、もって外箱２の補強をし、運転時、特には後述する脱水運転時に伝播される振動による外箱２の振れを少なくするようにしている。
【００１４】
そして、取付板１８自体は、補強板１９より下方に延びており、図１に示すように、表側に円筒状のホース継手２４，２５を、裏側に同じく円筒状の給水弁接続口２６，２７を、それぞれ位置を合わせて、上記補強板１９の成形と同時のプラスチックの型成形により一体に形成している。
【００１５】
これに対して、給水弁１７は、上部に１つの入口部２８を有し、前部に２つの出口部２９，３０を有しており、そのほか、上部の前部に取付部３１を有していて、図４に示すように、そのうちの出口部２９，３０を上記取付板１８の給水弁接続口２６，２７に挿入接続して、取付部３１を取付板１８上に載せ、この状態で、取付部３１を取付板１８にねじ３２（図６及び図７参照）により取付け、かくして、給水弁１７を取付板１８に取付けている。
【００１６】
そして、取付板１８のホース継手２４には給水ホース１５の一端部を、ホース継手２５には給水ホース１６の一端部をそれぞれ嵌合接続し、給水ホース１５の他端部を前記給水ケース１４の第１の接続口３３に、給水ホース１６の他端部を給水ケース１４の第２の接続口３４にそれぞれ嵌合接続している。
【００１７】
この構成で、給水ケース１４は、前記洗剤投入ケース１３によりセットされた洗剤を、給水弁１７から給水ホース１５を通じて供給される水により流して前記水槽３内に供給し、同じく前記洗剤投入ケース１３によりセットされた柔軟仕上剤を、給水弁１７から給水ホース１６を通じて供給される水により流して前記水槽３内に供給するようになっている。
又、洗濯物の洗濯は、給水弁１７から上記給水ケース１４を通じて水槽３内に給水した上で、回転槽５を正逆両方向に交互に低速回転させることで行い、洗濯物の脱水は、水槽３内から排水した後に回転槽５を一方向に高速回転させることで行うようにしている。
【００１８】
なお、補強板１９の長さは、給水弁１７が外箱２の左側面部２ａ及び後面部２ｂからある程度離間して入口部２８に水道蛇口との間を接続する接続ホースが接続しやすく、且つ、ホース継手２４，２５と給水ケース１５との間を接続した給水ホース１５，１６の曲がりが極力少なくなる位置となるように設定している。
【００１９】
以上のほか、外箱２の前側の上部には、図６及び図７に示すように、前補強板３５を架設しており、給水ケース１４はその前補強板３５又は外箱２に図示しないねじによって取付けている。又、前補強板３５には前面パネル３６を複数のねじ３７によって取付けてもいる。更に、給水ケース１４上には、給水ポンプ３８を取付けている。
【００２０】
このように本構成のものでは、給水弁１７を取付ける取付板１８に、給水弁１７にホース（給水ホース）１５，１６を接続するためのホース継手２４，２５を一体に設けている。それにより、給水弁１７に万一故障があったときの給水弁１７の取外しは、ホース継手２４，２５にホース１５，１６を接続したままで、取付板１８から給水弁１７を単独に取外すことででき、ホース継手２４，２５からホース１５，１６を外す作業が必要ない。又、修理後の給水弁１７又は新たな給水弁１７を取付ける際にも、ホース継手２４，２５にホース１５，１６を接続したままで、取付板１８に給水弁１７を単独に取付けることででき、取付板１８への給水弁１７の取付け後にホース継手２４，２５にホース１５，１６を接続する作業が必要ない。かくして、給水弁１７の取外し、取付けが容易にできる。
【００２１】
加えて、本構成のものでは、取付板１８を、水槽３を収容する筐体である外箱２を補強する補強板１９に一体に設けており、それによって、それらを別々に有するものより部品点数の削減ができ、又、スペース少なく取付けができる利点を有する。
なお、本発明は上記し且つ図面に示した実施例にのみ限定されるものではなく、特には乾燥機能並びに脱水機能の有無等の点につき、要旨を逸脱しない範囲内で適宜変更して実施し得る。
【図面の簡単な説明】
【００２２】
【図１】本発明の一実施例を示す、図２のＸ−Ｘ線に沿う断面図
【図２】主要部分の分解平面図
【図３】主要部分中、取付板及び給水弁の組立て状態の正面図
【図４】図３のＹ−Ｙ線に沿う断面図
【図５】全体の透視斜視図
【図６】主要部分が存在する箇所の斜視図
【図７】主要部分が存在する箇所の平面図
【符号の説明】
【００２３】
図面中、２は外箱（筐体）、３は水槽、１５，１６は給水ホース（ホース）、１７は給水弁、１８は取付板、１９は補強板、２４，２５はホース継手を示す。
【図１】
2007244659.tif 000003
【図２】
2007244659.tif 000004
【図３】
2007244659.tif 000005
【図４】
2007244659.tif 000006
【図５】
2007244659.tif 000007
【図６】
2007244659.tif 000008
【図７】
2007244659.tif 000009